(57)【特許請求の範囲】
【請求項１】
電磁ポンプからの液体燃料を気化器で気化し、燃焼用送風機からの燃焼用空気と混合した混合ガスをバーナ部で燃焼させる液体燃料燃焼装置に於いて、消火動作時には、前記電磁ポンプの燃料供給量を通常時よりも増加して一定時間燃焼を継続した後、前記電磁ポンプ及び前記燃焼用送風機を駆動停止して消炎させる制御装置を備えたことを特徴とする液体燃料燃焼装置。
【請求項２】
前記一定時間は火力に応じて可変し、小火力時よりも大火力時を短時間に設定したことを特徴とする請求項１記載の液体燃料燃焼装置。
【発明の詳細な説明】
【０００１】
【発明の属する技術分野】
本発明はファンヒータ等に用いられる気化した液体燃料を燃焼用空気と混合して燃焼させる液体燃料燃焼装置に関し、消火時の未燃ガス低減を目的とするものである。
【０００２】
【従来の技術】
従来よりこの種のものに於いては、電磁ポンプからの液体燃料を気化器で気化し、燃焼用送風機からの燃焼用空気と混合した混合ガスをバーナ部で燃焼させるようにした液体燃料燃焼装置であって、この燃料供給用の電磁ポンプの流量は個体ごとにプラスマイナス１０％程度のバラツキがあり、さらに使用時間の増大に伴い流量が増加する傾向にあった為、燃焼用空気と燃料量の比である空燃比を適正な値より少し空気過多に設定しておくことで、個体ごとのバラツキや時間経過による流量の増加を燃焼に影響がないように吸収するようにしていたものであった。
【０００３】
【発明が解決しようとする課題】
しかし、この従来のものは、消火動作時も少し空気過多の状態のまま電磁ポンプ及び燃焼用送風機を停止するので、停止後の気化器内に残った消炎前最後の燃焼に供される混合ガスが、燃焼可能な空燃比範囲に留まる時間が短く、炎の吹き消え現象がより早いタイミングで起こり多量の未燃ガスが発生してしまい、開放式の燃焼装置に於いては、臭気が周囲に多く放出されてしまうものであった。
【０００４】
【課題を解決するための手段】
この発明はこの点に着目し上記課題を解決するため、請求項１では特にその構成を、電磁ポンプからの液体燃料を気化器で気化し、燃焼用送風機からの燃焼用空気と混合した混合ガスをバーナ部で燃焼させる液体燃料燃焼装置に於いて、消火動作時には、前記電磁ポンプの燃料供給量を通常時よりも増加して一定時間燃焼を継続した後、前記電磁ポンプ及び前記燃焼用送風機を駆動停止して消炎させる制御装置を備えたものとした。
【０００５】
また、請求項２では特にその構成を、前記一定時間は火力に応じて可変し、小火力時よりも大火力時を短時間に設定したものである。
【０００６】
【発明の実施の形態】
請求項１に係る発明によると、運転スイッチ１６の操作があって運転停止が指令されると、制御装置３は燃焼用送風機１３の駆動周波数は変えずにそれまでの火力に対応した燃焼用空気量を保ったままで、電磁ポンプ１１の駆動周波数を増加し、火力に対応した燃料量よりも多い燃料を供給して、空燃比を低下させた状態で一定時間燃焼を継続する。
【０００７】
そしてこの一定時間が経過すると、電磁ポンプ１１及び燃焼用送風機１３を駆動停止して空燃比の低い状態で消炎させるので、バーナ部２内の混合ガスをできるだけ多く燃焼させてから消炎し未燃ガスの発生量を低減し、臭いの発生を抑える。
【０００８】
請求項２に係る発明によると、前記の燃料量を増加して燃焼を継続する一定時間を、運転停止指令があったときの火力に応じて可変するもので、火力が小さいときよりも火力が大きいときの方を短時間に設定しているので、空燃比を低下したことによって特に大火力時に発生するバーナ部２の過熱を、バーナ部２が過熱状態になる前に消火させるようにして防止する。
【０００９】
【実施例】
次に、本発明に係る発明をファンヒータに適用した一実施例を図１〜図４に基づいて説明する。
【００１０】
１は屋内に設置されるファンヒータ本体で、本体１内部に燃焼を行うバーナ部２と、このファンヒータの作動を制御するマイコンを主体として構成された制御装置３と、本体１背面開口部の対流用送風機４と、本体１前面の温風吹出口５と、本体１前面側上部の操作部６とを備えているもので、バーナ部２での燃焼排気ガスを対流用送風機４により温風吹出口５から室内に吹き出すことで暖房を行うものである。
【００１１】
前記バーナ部２は、複数の炎孔を有したバーナヘッド７の下部に気化ヒータ８を有した気化器９を備えて構成され、気化ヒータ８によって加熱された気化器９内に油受け皿１０から容積型の電磁ポンプ１１の駆動で送油ノズル１２を通じて液体燃料を供給し、この液体燃料が気化した気化ガスと燃焼用送風機１３から送風路１４を通じて供給される燃焼用空気との混合ガスを前記バーナヘッド７の炎孔で燃焼させ、また燃焼中は前記気化器９の上端に複数の炎孔に対向する如く備えた環状の熱回収リング１５によって炎から熱回収を行い気化ヒータ８の通電を低減しているもので、ターンダウン比が広く静かな気化燃焼を行うものである。
【００１２】
前記操作部６には、運転の開始／停止を指令するための運転スイッチ１６と、室温上昇スイッチ１７と室温下降スイッチ１８とにより構成され所望の室温を設定する室温設定手段１９と、タイマースイッチや予熱待機スイッチなどの各種の操作スイッチと、時刻や設定室温を表示する表示部２０が設けられている。
【００１３】
２１は前記気化ヒータ８で加熱される気化器９の温度を検知する気化温度センサで、前記制御装置３はこの気化温度センサ２１の検知温度が所定の上限温度になると前記気化ヒータ８をオフし、また所定の下限温度になると前記気化ヒータ８をオンして気化器９の温度を液体燃料を良好に気化できる温度範囲内に保持する。
【００１４】
また、前記制御装置３は、運転スイッチ１６の運転指令により、前記気化温度センサ２１の検知温度を監視して前記気化器９を液体燃料を気化可能な温度まで気化ヒータ８により加熱し、気化器９の温度を燃焼に適する温度まで上昇させると前記電磁ポンプ１１及び燃焼用送風機１３を駆動開始し、点火装置２２により混合ガスに点火して燃焼を開始させて、器具本体１背面の対流用送風機４の近傍に設けられた室温センサ２３の検知室温と前記室温設定手段１９で設定された設定室温との偏差に応じて、前記電磁ポンプ１１及び燃焼用送風機１３を制御して燃焼火力を可変して前記室温設定手段１９で設定された室温になるように制御する。
【００１５】
この燃焼火力の可変制御は、燃焼用送風機１３の駆動周波数及び電磁ポンプ１１の駆動周波数を一組として予め複数段階に細分化されて火力として設定しており、検知室温と設定室温の偏差及び室温の変化勾配に応じて細分化された火力を選択することによって行われる。
【００１６】
また、前記制御装置３は、タイマー部２４を有し、運転スイッチ１６の運転停止指令を受けると、前記対流用送風機４と気化ヒータ８と電磁ポンプ１１と燃焼用送風機１３とを前記タイマー部２４のカウントに応じて適宜消火制御して、臭い及び煙のない快適な消火を実現するものである。
【００１７】
ここで、運転スイッチ１６が押されて運転停止指令があった際の作動を図３に示すフローチャートに基づいて説明する。
【００１８】
先ず、運転スイッチ１６が押されて運転停止指令があるかどうかをチェックし（ステップ１、以下Ｓ１と略す）、運転停止指令があると次のＳ２へ進み、気化ヒータ８を強制的に通電開始すると共に対流用送風機４を半波制動によりブレーキ制御し、さらに燃焼用送風機の駆動周波数は変更せずに電磁ポンプ１１の駆動周波数を現在の火力に対応する駆動周波数より複数段階上の駆動周波数を選択し、通常時の燃焼用空気に対する燃料量よりも多い燃料量を供給し、空燃比を少し低下させる。
【００１９】
次に、空燃比を少し低くした状態で燃焼を継続し、タイマー部２４の一定時間ａのカウントが終了すると（Ｓ３）、ブレーキ制御により回転を急激に遅くした対流用送風機４の駆動を完全停止してブレーキ制御を解除する（Ｓ４）。
【００２０】
次に、対流用送風機４の駆動を停止した後、タイマー部２４の一定時間ｂのカウントが終了すると（Ｓ５）、電磁ポンプ１１の駆動を停止すると共に燃焼用送風機１３の駆動を停止する（Ｓ６）。
【００２１】
このとき、図４に示すように燃料量が燃焼用空気量に対し通常時よりも多い状態であるので（空燃比が低い状態）、電磁ポンプ１１及び燃焼用送風機１３を停止しても燃焼用空気量が過多になることなく、燃焼用空気量と燃料量の比を従来に比べて長い時間燃焼可能な空燃比範囲内に保って、バーナ部２内の混合ガスをできる限り多く燃焼させてから消炎させることができ、簡単な構成で未燃ガスの発生量を少なくでき、従って未燃ガスによる臭気の発生やバーナ部２への悪影響を抑えることができる。
【００２２】
次に、消炎した後にＳ７のタイマー部２４が一定時間ｃのカウントを終了すると、気化ヒータ８への通電を停止し（Ｓ８）、さらに次のＳ９でタイマー部２４の一定時間ｄのカウントが終了すると、対流用送風機４を再起動して本体１内部を冷却開始する（Ｓ１０）。
【００２３】
対流用送風機４の送風で本体１内部を冷却開始してから、タイマー部２４の一定時間ｅのカウントが終了すると（Ｓ１１）、燃焼用送風機１３を再起動する（Ｓ１２）。この燃焼用送風機１３の送風によりバーナ部２の内部を冷却すると共にほんのわずか残った未燃ガスをパージしてバーナ部２から外部へ送出するようにしている。
【００２４】
そして、パージ開始してからタイマー部２４の一定時間ｆのカウントが終了すると（Ｓ１３）、再起動した対流用送風機４及び燃焼用送風機１３を駆動停止して消火動作が完了する。
【００２５】
以上説明してきたように、電磁ポンプ１１の流量特性の悪影響をカバーするために、通常燃焼時の空燃比を少し高めで空気過多気味に設定していても、消火時には燃料供給量のみを増加して空燃比を低下させるので、未燃ガスの発生を極力低減することができる。
【００２６】
またここで、空燃比を低下するとバーナ部２の炎孔に炎が付着する傾向があり、火力が大きい場合にはバーナ部２が過熱してしまうが、前記Ｓ２で燃料供給量を通常よりも増加してから、Ｓ５で電磁ポンプ１１を駆動停止するまでの時間（一定時間ａ＋一定時間ｂ）を、火力が小さいときには長く設定し、また火力が大きいときには短く設定することで、空燃比の低下によって特に大火力時に顕著なバーナ部２の過熱を防止できる。
【００２７】
【発明の効果】
以上のように、この発明によれば、消火直前に燃料供給量のみを増加させ、空燃比の低い状態で消火させることによって、電磁ポンプの流量特性の悪影響を受けることなく消火時の未燃ガスの発生を低減することができ、未燃ガスによる臭気の発生を抑えることができる。
【００２８】
また、燃料供給量のみを増加させる一定時間を、小火力時よりも大火力時の方を短時間に設定しているので、空燃比を低下することによって生じる大火力時に於いて顕著なバーナ部の過熱を防止できる。
【図面の簡単な説明】
【図１】この発明の一実施例であるファンヒータの概略構成図。
【図２】同一実施例の制御装置のブロック図。
【図３】同一実施例の消火動作のフローチャート。
【図４】同一実施例の消火時の燃料量と燃焼用空気量の関係を表す説明図。
【符号の説明】
２  バーナ部
３  制御装置
９  気化器
１１  電磁ポンプ
１３  燃焼用送風機
【図１】
0003869627.tif 000002
【図２】
0003869627.tif 000003
【図３】
0003869627.tif 000004
【図４】
0003869627.tif 000005